(57)【要約】  本発明の箱は、容器（１６Ａ）用の支持部（１８）が配置される本体（１２）を備える。箱の本体（１２）内では、上記支持部（１８）が、容器（１６Ａ）を配置するための空間（Ｇ）を、少なくとも１つの付属品（Ｐ１、Ｐ２、Ｐ３）を配置するための空間（Ｒ）と隔てる。配置空間（Ｇ）は、少なくとも部分的に配置空間（Ｒ）を覆う。好ましい実施形態では、支持部（１８）は、少なくとも部分的に容器（１６Ａ）により被覆可能である少なくとも１つの開口部（２４）を備える。この開口部（２４）により、容器（１６Ａ）と支持部（１８）とを分離する手段にアクセス可能になる。容器（１６Ａ）は、たとえば化粧品のキャップの形であることが可能である。
2008502400.tif 000002
【特許請求の範囲】
【請求項１】
容器（１６Ａ、１６Ｂ、１６Ｃ）を保持するための支持部（１８）を収容する本体（１２）を備えるタイプの箱であって、支持部（１８）が、箱の本体（１２）内で容器（１６Ａ、１６Ｂ、１６Ｃ）を配置するための配置空間（Ｇ）を、少なくとも１つの付属品（Ｐ１、Ｐ２、Ｐ３）を収納するための空間（Ｒ）と隔て、配置空間（Ｇ）は少なくとも部分的に収納空間（Ｒ）を被覆することと、支持部（１８）が、少なくとも部分的に容器（１６Ａ、１６Ｂ、１６Ｃ）により覆われる少なくとも１つの開口部（２４）を含み、前記開口部（２４）が、容器（１６Ａ、１６Ｂ、１６Ｃ）を支持部（１８）から分離させるための分離手段（Ｌ、ＤＧ）にアクセス可能にすることと、を特徴とする、箱。
【請求項２】
収納空間（Ｒ）が分離手段アクセス開口部（２４）と連通することを特徴とする、請求項１に記載の箱。
【請求項３】
分離手段アクセス開口部（２４）が、容器（１６Ａ、１６Ｂ、１６Ｃ）用の支持面を形成する支持部（１８）の一面（２０Ｆ）と面一であることを特徴とする、請求項１または２に記載の箱。
【請求項４】
支持部（１８）が複数の分離手段アクセス開口部（２４）を含むことを特徴とする、請求項１から３のいずれか一項に記載の箱。
【請求項５】
収納空間（Ｒ）が、それぞれ対応する使用者アクセス開口部（２６Ａ、２６Ｂ、２６Ｃ、４１）と連通する複数の区画（Ｃ１、Ｃ２、Ｃ３）を含み、それぞれが対応する付属品（Ｐ１、Ｐ２、Ｐ３）を収納するための副空間を形成することを特徴とする、請求項４に記載の箱。
【請求項６】
区画（Ｃ１、Ｃ２、Ｃ３）が、支持部（１８）と一体である隔壁（２２Ａ、２２Ｂ、２２Ｃ、２２Ｄ）により画定されることを特徴とする、請求項５に記載の箱。
【請求項７】
支持部（１８）が、ほぼ板状であり台部（２２）により保持されるプラテン（２０）を備え、各分離手段アクセス開口部（２４）がプラテン（２０）内に設けられており、隔壁（２２Ａ、２２Ｂ、２２Ｃ、２２Ｄ）が台部（２２）と一体であり、プラテン（２０）に対して実質的に垂直であることを特徴とする、請求項６に記載の箱。
【請求項８】
支持部（１８）が、ほぼ板状のプラテン（２０）を備え、各分離手段アクセス開口部（２４）がプラテン（２０）内に設けられており、本体（１２）内の格納位置と、容器（１６Ａ、１６Ｂ、１６Ｃ）を支持部（１８）から分離するための手段（ＤＧ）として使用者が指（ＤＧ）を使用することが可能な引出位置との間を摺動可能であるように本体（１２）内に取り付けられる引き出しを、支持部（１８）が形成することを特徴とする、請求項１から４のいずれか一項に記載の箱。
【請求項９】
本体（１２）が、使用者による収納空間へのアクセスを可能にする少なくとも１つの開口部（２６Ａ、２６Ｂ、２６Ｃ、４１）を含むことを特徴とする、請求項１から８のいずれか一項に記載の箱。
【請求項１０】
本体（１２）が、使用者アクセス開口部（２６Ａ、２６Ｂ、２６Ｃ）を閉鎖するための栓（Ｔ１、Ｔ２、Ｔ３）を含み、前記栓は、付属品（Ｐ１、Ｐ２、Ｐ３）が栓（Ｔ１、Ｔ２、Ｔ３）を保持するように、対応する付属品（Ｐ１、Ｐ２、Ｐ３）の一端に、好ましくは取り外し可能な手段を用いて接続されることを特徴とする、請求項９に記載の箱。
【請求項１１】
使用者アクセス開口部（４１）を閉鎖するために、本体（１２）にヒンジにより取り付けられるフラップ（４２）を含むことを特徴とする、請求項９に記載の箱。
【請求項１２】
付属品（Ｐ１、Ｐ２、Ｐ３）が収容されるべき収納引き出し（Ｔ４）が収納空間（Ｒ）に設けられ、この引き出しは本体（１２）内の格納位置と、付属品（Ｐ１、Ｐ２、Ｐ３）にアクセスするための引出位置との間を摺動可能であるように本体（１２）内に取り付けられていることを特徴とする、請求項１から４のいずれか一項に記載の箱。
【請求項１３】
付属品（Ｐ１、Ｐ２、Ｐ３）は、容器（１６Ａ、１６Ｂ、１６Ｃ）の内容物と共に使用するためのものであることを特徴とする、請求項１から１２のいずれか一項に記載の箱。
【請求項１４】
容器（１６Ａ、１６Ｂ、１６Ｃ）が、化粧品を含む受皿であることを特徴とする、請求項１から１３のいずれか一項に記載の箱。
【請求項１５】
付属品（Ｐ１、Ｐ２、Ｐ３）がメークアップ用ペンシルまたはブラシであることを特徴とする、請求項１から１４のいずれか一項に記載の箱。
【請求項１６】
本体にヒンジにより取り付けられ、鏡（３４）と、前記鏡（３４）を照らすための手段（３６）とが設けられている蓋（１４）を含み、好ましくは、少なくとも部分的に鏡（３４）の輪郭に沿って延在する照明ガイド（３８）を含むことを特徴とする、請求項１から１５のいずれか一項に記載の箱。
【発明の詳細な説明】
【技術分野】
【０００１】
本発明は、特にメークアップ用の改良された箱に関する。
【背景技術】
【０００２】
従来技術では、容器を保持するための支持部を収容する本体を備えるタイプの箱が開示される。
【０００３】
このタイプのメークアップケースでは、本体が、化粧品を含む受皿を形成する少なくとも１つの容器を備える。化粧品は、特にブラシの形の付属品を使用して、取り出されることが可能である。このブラシは通常、受皿の一方の側で支持部内に設けられるくぼみに収納されており、これにより受皿用の配置空間およびブラシ用の収納空間が箱本体において並列する。このため、くぼみおよびブラシの寸法は、受皿の大きさにより制限されてしまう。この寸法は、支持部が多数の受皿を保持している場合はさらに小さくなってしまう。
【０００４】
しかし、小さすぎるブラシは扱いにくい。
【発明の開示】
【発明が解決しようとする課題】
【０００５】
本発明の目的は、人間工学的に最適にするために、可能な限り大きい寸法の１つ以上の付属品を含むことが可能である上述のタイプの箱を提供することである。
【課題を解決するための手段】
【０００６】
このために本発明は、箱の本体内で支持部が、容器を配置するための空間と少なくとも１つの付属品を収納するための空間とを分割し、配置空間が少なくとも部分的に収納空間を被覆することと、支持部が、少なくとも部分的に容器により被覆される少なくとも１つの開口部を含み、上記開口部により容器と支持部を分離するための分離手段へアクセス可能になることとを特徴とする、上述のタイプの箱を提供する。
【０００７】
受皿配置空間は、少なくとも部分的に付属品収納空間を覆っているため、付属品の寸法は、箱内に含まれる受皿の数および寸法とは無関係である。したがって、付属品の寸法は、その付属品を入れる箱の本体において可能な限り大きければよい。
【０００８】
さらに、本発明では、空になった受皿が接着されているおよび／または掴むことが難しい場合にも、固定されている支持部から空の受皿を分離することが可能になる。
【０００９】
最終的に、分離手段アクセス開口部は、受皿の支持部からの分離を容易にする手段を構成し、この手段はそれらをカバーする受皿により覆われており、箱の外部からは見えない。このため、本発明の受皿を支持部から容易に分離するための手段は、箱の外観を損ねない。
【００１０】
本発明の様々な実施形態のその他の特徴は以下の通りである。
・収納空間は、分離手段アクセス開口部と連通する。
・分離手段アクセス開口部は、容器の支持面を形成する支持部の一面と同一面上にある。
・支持部は、複数の分離手段アクセス開口部を含む。
・収納空間は複数の区画を含み、各区画は対応する使用者アクセス開口部と連通し、それぞれが対応する付属品を収納するための副空間を形成する。
・区画は、支持部と一体的な隔壁により画定される。
・支持部は、ほぼ板状である、台部により保持されるプラテンを備え、各分離手段アクセス開口部はこのプラテン内に設けられており、隔壁は台部と一体であり、実質的にプラテンに対して垂直である。
・支持部は、ほぼ板状であるプラテンを備え、各分離手段アクセス開口部がこのプラテン内に設けられており、支持部は、本体内で格納位置と引き出された位置との間を摺動可能に取り付けられる引き出しを形成し、引き出された位置では、使用者は手を使って容器を支持部から分離することが可能である。
・本体は、使用者が収納空間にアクセスできるように少なくとも１つの開口部を含む。
・本体は、使用者アクセス開口部を閉鎖する栓を含み、付属品が栓を保持するように、この栓は好ましくは取り外し可能な手段を用いて、対応する付属品の一方の端部に接続される。
・箱は、本体にヒンジにより取り付けられ、使用者が開口部にアクセスできないようにするためのフラップを含む。
・収納空間には付属品を収容するための収納引き出しが備えられ、これは付属品を利用するために本体内で格納位置と引き出された位置との間を摺動可能に取り付けられている。
・付属品は容器の内容物と共に使用するためである。
・容器は化粧品を含む受皿である。
・付属品はメークアップ用のペンシルまたはブラシであり、
・箱は、本体にヒンジにより取り付けられ、鏡とこの鏡を照らす手段とを備える蓋を含み、鏡を照らす手段は好ましくは、少なくとも部分的に鏡の輪郭に沿って延在する照明ガイドを含む。
【００１１】
本発明は、例示的に挙げられる以下の説明および添付の図面を参照することによって、より深く理解することができる。
【発明を実施するための最良の形態】
【００１２】
図１から５は、本発明の第１実施形態における、参照符号１０で表されるメークアップ用の箱を示す。
【００１３】
メークアップケースを形成する箱１０は、蓋１４がヒンジにより取り付けられる本体１２を備える。
【００１４】
特に図２を参照すると、本体１２は、底部１２Ｆと、２つの長手方向縁部１２Ｌと、２つの横方向縁部１２Ｔとにより画定される、一般に細長い形状を有することが分かる。
【００１５】
蓋１４は、本体の長手方向縁部１２Ｌにヒンジにより取り付けられており、これにより、長手方向縁部１２Ｌに実質的に平行である軸を中心に旋回可能である。
【００１６】
箱１０の長手方向の寸法は、１４ｃｍ（センチメートル）以上であることが可能である。箱１０の横方向の寸法は、５．５ｃｍ以上であることが可能である。
【００１７】
箱１０は、複数の容器を含むためのものであり、そのうちの一部のみが図１および図２に示されている。この容器は、それぞれ化粧品を含んでいる受皿１６Ａ、１６Ｂ、１６Ｃを形成する。
【００１８】
説明される実施例では、受皿１６Ａから１６Ｃは、ほぼ平行６面体の形状を有することに留意されたい。受皿１６Ａから１６Ｃの容量は異なっていてもよい。しかし、通常は受皿１６Ａから１６Ｃは、好ましくは同じ深さを有する。
【００１９】
受皿１６Ａから１６Ｃは、本体１２内に収容される支持部１８により保持される。より詳細には、受皿１６Ａから１６Ｃは、支持部１８のくぼみ１９内に収容される。実質的に長方形の輪郭を有するくぼみ１９は、受皿１６Ａから１６Ｃの支持部１８上での長手方向および横方向の位置決めのために、支持部１８の縁部により画定される。
【００２０】
図示される実施例では、支持部１８はプラテン２０を備える。これは通常、台部２２により保持される、穴の開いたプレート２０として形成されている。くぼみ１９の輪郭は、プラテン２０と台部２により画定される。くぼみ１９の底部は、ほぼ長方形であるプラテン２０により画定される。
【００２１】
受皿１６Ａから１６Ｃは、プラテン２０により保持され、たとえば受皿１６Ａから１６Ｃとプラテン２０との間に設けられる接着手段により、または受皿１６Ａから１６Ｃをくさびで止める手段により、このプラテン２０に取り外し可能に固定される。
【００２２】
くぼみ１９は、この受皿の寸法に応じて様々な構成の受皿を含むことが可能であることに留意されたい。
【００２３】
プラテン２０は、受皿１６Ａから１６Ｃの底部により少なくとも部分的に覆われる複数の開口部２４を備える。
【００２４】
以下でより詳細に説明するように、各開口部２４は、受皿１６Ａから１６Ｃをプラテン２０から分離するための道具をアクセス可能にする。これにより、使用し続ける価値が箱にある場合には、空の受皿１６Ａから１６Ｃを新しい完全な受皿に交換することが可能である。
【００２５】
図示される実施例では、各開口部２４は、ほぼ長方形の形状を有し、これは本体の長手方向縁部１２Ｌおよび横方向縁部１２Ｔと実質的に平行である複数の列に配置されている。
【００２６】
開口部２４は、受皿１６Ａから１６Ｃの支持面を形成するプラテンの面２０Ｆと面一である。
【００２７】
箱の本体１２内では、支持部１８が、受皿１６Ａから１６Ｃを配置するための空間Ｇ（図１を参照）を、本体の底部１２Ｆと支持部のプラテン２０との間に延在する収納空間Ｒ（図３を参照）から隔てることに留意されたい。実際、台部２は、プラテン２０を本体の底部１２Ｆから離間させる間隔部材を形成する。
【００２８】
配置空間Ｇは、少なくとも部分的に収納空間Ｒを覆う。この空間Ｒは、好ましくは受皿の内容物と共に使用するための少なくとも１つの付属品を収納するための空間である。
【００２９】
上述の実施例では、空間Ｒはメークアップ用ブラシＰ１、Ｐ２、Ｐ３を形成する３つの付属品を収納するための空間である。変形例では、付属品の少なくとも１つはメークアップ用ペンシルであってもよい。
【００３０】
受皿１６Ａから１６Ｃのように、付属品Ｐ１からＰ３は受皿の内容物に最も適した付属品を提供するために変更されることが可能であることに留意されたい。
【００３１】
収納空間Ｒは、プラテン内に設けられる開口部２４と連通していることに留意されたい。
【００３２】
収納空間Ｒは、それぞれ対応する付属品Ｐ１からＰ３を収納するための副空間を形成する複数の区画を備える。
【００３３】
したがって、図示される実施例では収納空間Ｒは、３つの区画Ｃ１、Ｃ２、Ｃ３を備える。区画Ｃ１からＣ３は、台部２２と一体である隔壁２２Ａ、２２Ｂ、２２Ｃ、２２Ｄにより画定される。この隔壁２２Ａから２２Ｄは、本体の長手方向縁部１２Ｌと実質的に平行に、またはプラテン２０に対して実質的に垂直に延在する。
【００３４】
各付属品Ｐ１からＰ３の寸法は、配置空間Ｇに含まれる受皿１６Ａから１６Ｃの数および寸法とは無関係である。付属品Ｐ１からＰ３の寸法は、この付属品を収容する区画Ｃ１からＣ３の大きさに合う大きさであればよい。上述の箱１０の長手方向の寸法との関連で、付属品Ｐ１からＰ３の長さは１２ｃｍ、またはそれ以上であることが可能であることに留意されたい。この比較的長い長さは、付属品Ｐ１からＰ３が利用しやすいことを意味する。
【００３５】
区画Ｃ１からＣ３は、箱本体の横方向縁部１２Ｔに設けられている、対応する使用者アクセス開口部２６Ａ、２６Ｂ、２６Ｃとそれぞれ連通する。各開口部２６Ａから２６Ｃは、使用者が対応する区画Ｃ１からＣ３にアクセスすることを可能にする。
【００３６】
図示される実施例では、２つの使用者アクセス開口部２６Ａ、２６Ｃが第１横方向縁部１２Ｔに設けられ、１つの使用者アクセス開口部２６Ｂが第２横方向縁部１２Ｔに設けられている。
【００３７】
好ましくは、各ブラシＰ１からＰ３が取っ手を備え、これは毛を保持する遠位端と、栓Ｔ１、Ｔ２、Ｔ３を保持する、第１端部と対向する近位端とを有する。この栓Ｔ１からＴ３は、付属品Ｐ１からＰ３が収容されている区画Ｃ１、Ｃ２、Ｃ３と連通する、使用者アクセス開口部２６Ａから２６Ｃを閉鎖するためのものである。
【００３８】
栓Ｔ１からＴ３は、ブラシＰ１からＰ３の取っ手の近位端に、たとえばねじまたは差込型のような取り外し可能な接続手段２７により接続される。この取り外し可能手段２７は、ブラシＰ１からＰ３を取替えることが可能であることを示唆する。
【００３９】
付属品Ｐ１からＰ３が対応する区画Ｃ１からＣ３内の収納位置にある場合、閉鎖栓Ｔ１からＴ３は箱の本体１２の外面と面一であり、図１に示されるようにこの本体の全体の形状に沿って延在する。
【００４０】
付属品Ｐ１からＰ３が収納位置にある際に栓Ｔ１からＴ３を掴みやすくするために、この栓Ｔ１からＴ３はそれぞれ、使用者の爪が入ることが可能であるくぼみ２８を含む（図４を参照）。
【００４１】
好ましくは、栓Ｔ１からＴ３はそれぞれ、使用者の親指と人差し指との間で掴むことを容易にする２つのくぼみ３０、３２をさらに含む。
【００４２】
蓋１４には、鏡３４と、鏡を照らすための電気手段３６とが設けられる。
【００４３】
好ましくは照明手段３６は、不図示の電池を動力源とする従来型の光源に接続される照明ガイド３８を備える。
【００４４】
照明ガイド３８は、少なくとも部分的に鏡３４の輪郭に沿って延在する。図示される実施例では、鏡３４は概ね長方形の形状を有するため、この鏡を画定している３つの縁に沿って照明ガイドが延在する。
【００４５】
特に図１から図３は、照明手段３６のオン、オフの切り替えを制御するためのスイッチ４０をさらに示している。
【００４６】
上述の箱１０は、非常に簡単に使用できる。
【００４７】
たとえば箱１０が、図１に示されるように開いている状態にある場合は、使用される受皿１６Ａから１６Ｃのタイプに応じて、付属品Ｐ１からＰ３のうちの１つが、その対応する収納区画Ｃ１からＣ３から取り出されることが可能である。
【００４８】
受皿１６Ａから１６Ｃのうち１つが空である場合は、以下の通り交換することが可能である。
【００４９】
まず、付属品Ｐ１からＰ３の１つを対応する区画Ｃ１からＣ３より取り出すことによって、使用者アクセス開口部２６Ａから２６Ｃが開けられる。
【００５０】
続いて、従来型の工具Ｌが、開いている使用者開口部２６Ａから２６Ｃに挿入され、図５に示されるように、交換されるべき受皿１６Ａから１６Ｃにより覆われている工具アクセス開口部２４にアクセスする。すると工具Ｌの遠位端は、交換されるべき受皿１６Ａから１６Ｃと接触する。工具Ｌに力を加えることにより、交換されるべき受皿１６Ａから１６Ｃに圧力が加わり、受皿とプラテンを結びつける力を上回ると、プラテン２０から分離させる。
【００５１】
本発明により、受皿が接着されている、および／または把持することが困難である場合にも、固定されている支持部１８から空の受皿１６Ａから１６Ｃを分離させることが容易になる。
【００５２】
さらに、区画Ｃ１からＣ３と連通する工具アクセス開口部２４は、これを覆う受皿により被覆されており箱の外部からは見えない、受け皿１６Ａから１６Ｃの支持部１８からの分離を容易にする手段を形成することに留意されたい。したがって、受皿１６Ａから１６Ｃの支持部１８からの分離を容易にする本発明の手段は、箱の外観を損ねない。
【００５３】
図６は、本発明の第２実施形態に係るメークアップケースを示す。この図では、先の図と類似の要素は同じ参照符号によって表される。
【００５４】
本発明のこの第２実施形態では、区画Ｃ１からＣ３、すなわち収納空間Ｒの使用者によるアクセスは、本体１２に設けられる共通開口部４１により可能にされる。使用者アクセス開口部４１は、フラップ４２を使用して覆い隠すことが可能である。このフラップは、本体１２の蓋１４のヒンジ軸に対して実質的に直角である軸を中心として、本体１２にヒンジにより取り付けられている。
【００５５】
フラップ４２は、区画Ｃ１からＣ３、およびこれが収容する付属品を覆う格納位置と、開口部４１を通って区画Ｃ１からＣ３、および付属品Ｐ１からＰ３へのアクセスを可能にする図６に示される開放位置との間を、移動可能である。
【００５６】
図７から図９は、本発明の第３実施形態に係るメークアップケースを示す。図７から図９では、先の図と類似の要素は同じ参照符号で表される。
【００５７】
この状況では、プラテン２０を備える支持部１８は、プラテンの支持面２０Ｆと実質的に平行である方向へ摺動可能に本体１２内に取り付けられている引き出しを形成する。
【００５８】
支持部１８は、図８に示される本体１２内の格納位置と、図９に示される引出位置との間を移動可能である。支持部１８のこの引出位置では、プラテン２０のアクセス開口部２４を通して親指ＤＧで空の受皿に圧力を加えることにより、使用者は空の受皿１６Ａから１６Ｃを交換することが可能である。
【００５９】
さらに、本発明の第３実施形態では、収納空間Ｒには付属品Ｐ１からＰ３が収容される収納引き出しＴ４が備えられる。この引き出しＴ４は、プラテンの支持面２０Ｆと実質的に平行に、本体１２内に摺動可能に取り付けられる。
【００６０】
収納引き出しＴ４は、図９に示される本体１２内の格納位置と、図７および図８に示される、付属品Ｐ１からＰ３にアクセスするための引出位置との間を移動可能である。
【００６１】
変形例では、本発明の第３実施形態の箱１０は、単一の引き出し、つまり引き出しを形成する支持部１８、または収納引き出しＴ４のいずれかを備えることが可能である。
【００６２】
本発明の利点は、使用者の習慣および好みに応じて変更可能である様々な受皿および付属品を箱１０に設けることが可能であるということである。
【図面の簡単な説明】
【００６３】
【図１】本発明の箱の第１実施形態の斜視図であり、この箱は開けられた状態である。
【図２】図１に示される箱の分解斜視図である。
【図３】先の図に示される箱の部分的に分解された斜視図である。
【図４】先の図に示される箱に収納可能である付属品の一方の端部の斜視図である。
【図５】先の図に示される箱の本体内に収容される支持部の長手方向の断面図である。
【図６】第２実施形態の箱が部分的に切り取られた斜視図であり、この箱は開いた状態である。
【図７】本発明の第３実施形態の箱の上面図であり、この箱のカバーは開いている。
【図８】図７の箱の個別の構成での側面図である。
【図９】図７の箱の個別の構成での側面図である。
【図１】
2008502400.tif 000003
【図２】
2008502400.tif 000004
【図３】
2008502400.tif 000005
【図４】
2008502400.tif 000006
【図５】
2008502400.tif 000007
【図６】
2008502400.tif 000008
【図７】
2008502400.tif 000009
【図８】
2008502400.tif 000010
【図９】
2008502400.tif 000011
【国際調査報告】
2008502400.tif 000012
2008502400.tif 000013
2008502400.tif 000014
2008502400.tif 000015
2008502400.tif 000016
2008502400.tif 000017